(57)【要約】【課題】既存の履物に選択的に使用できる中敷等の付属品であって、これを付けた履物を履いている限り、自ずと適正なつま先立ちの姿勢を取らざるを得ないため、普段使用していない筋肉の使用が促進されることになるつま先立ち用アタッチメントを提供する。【解決手段】履物の足裏当り面に、少なくとも踵当りに定着させる軟質ないし半硬質の踏みシートであって、踏みシートの上面に指先大の１又は数個の突起が踵当りにおいて突設されていることを特徴とする。【効果】これを取り付けた履物を着用すれば、突起で痛みを覚えることのないよう抗重力となるつま先立ちの姿勢となり、この姿勢が促進され維持されることによって、つま先立ちの多くの有効な健康効果が確実に得られ、しかも、既存の履物を改良して自分に合った納得するつま先立ちの姿勢が得られるという優れた効果がある。【選択図】    図１
2015173795.tif 000002
【特許請求の範囲】
【請求項１】
履物の足裏当り面に、少なくとも踵当りに定着させる軟質ないし半硬質の踏みシートであって、踏みシートの上面に指先大の１又は数個の突起が踵当りにおいて突設されていることを特徴とする履物のつま先立ち用アタッチメント。
【請求項２】
踏みシートが履物の足裏当り面に、そのほゞ全面ないし後半部の範囲で定着させる形状であって、下面に両面接着テープが貼り付けられていることを特徴とする請求項１記載の履物のつま先立ち用アタッチメント。
【発明の詳細な説明】
【技術分野】
【０００１】
この発明は、健康に有効とされるつま先立ちを怠りなく継続できるように、身近な靴やスリッパ、サンダル、下駄等に付けて使用する履物のつま先立ち用アタッチメントに関する。
【背景技術】
【０００２】
つま先立ちとは、踵を持ち上げながらつま先だけで立つ姿勢のことで、アキレスけんやふくらはぎ等の普段使用されることの少ない筋肉を使用することになって、腰痛、肥満、肌荒れ、むくみ等を改善したり、脳の前頭前野を活性化したり、脳内ホルモンの分泌を促す等、数多くの健康効果があるとされ、従来、スリッパやサンダルにこのような健康効果が期待できるよう後記の如く工夫を加えた履物が提供されるが、靴の中敷等の履物の付属品ないしアタッチメントにはそのような工夫は試みられることはなかった。ちなみに、靴の中敷については、足裏にある多数のツボを刺激するための粒々が突設されあるいはクッション部材が配設された機能性中敷が広く流通している（特許文献１）。
【０００３】
履物としては、従来、つま先立ち用のスリッパやサンダルが提供されている。それは、サンダルやスリッパ等の踵当たりとなる後半部を欠除した半端型の履物であって、踵がこれでは受けられなく、その不安定さを補うために、自ずとつま先やアキレスけん等に力が入るように設定されていた。
【０００４】
また、踵当りにエアーボールを埋設し、それがクッションとなって突出しているスリッパやサンダルも提供される。
【先行技術文献】
【特許文献】
【０００５】
【特許文献１】特開２００８−０４８８６３号公報
【発明の概要】
【発明が解決しようとする課題】
【０００６】
上記のように、従来、靴の中敷にはつま先立用のものはなく、履物では存在しても、踵当りが欠除した半端型のスリッパやサンダルでは、どうしても不安定な履き方となることから、特に高齢者には転倒しやすいという使用上避けがたい欠点があった。
【０００７】
また、エアーボール埋め込み型のスリッパやサンダルでは、柔らかい凸部が少し刺激とはなるものの、特に意識して踵を持ち上げた姿勢を保持しない限り、普通のサンダル等と同じで、つま先立ちにはならなかった。
【０００８】
この発明は、上記のような実情に鑑みて、既存の履物に選択的に使用できる中敷等の付属品であって、これを付けた履物を履いている限り、自ずと適正なつま先立ちの姿勢を取らざるを得ないため、普段使用していない筋肉の使用が促進されることになるつま先立ち用アタッチメントを提供することを課題とした。
【課題を解決するための手段】
【０００９】
上記の課題を解決するために、この発明は、履物の足裏当り面に、少なくとも踵当りに定着させる軟質ないし半硬質の踏みシートであって、踏みシートの上面に指先大の１又は数個の突起が踵当りにおいて突設されていることを特徴とする履物のつま先立ち用アタッチメントを提供する。
【００１０】
履物のつま先立ち用アタッチメントを上記のように構成したから、使用するには、履物の足裏当り面に脱落しないように定着ないし固着させる。こうしてその履物を履くと、足の踵が突起を押すと、この時に強い痛みを覚えることになるが、これを避ける意識が働いて、常時踵を上げることになり、つま先立ちの姿勢を維持しながら歩行することになる。
【発明の効果】
【００１１】
この発明の履物のつま先立ち用アタッチメンは、これを取り付けた履物を着用すれば、突起で痛みを覚えることのないよう抗重力となるつま先立ちの姿勢となり、この姿勢が促進され維持されることによって、つま先立ちの多くの有効な健康効果が確実に得られ、しかも、既存の履物を改良して自分に合った納得するつま先立ちの姿勢が得られるという優れた効果がある。また、身長を高く見せる効果や、踵を中心とした壺押し効果も生じる。一方、痛みをともなわない場合でも、突起によるつま先立ち効果は当然得られるものである。
【図面の簡単な説明】
【００１２】
【図１】この発明の履物のつま先立ち用のアタッチメントを履物とともに示す斜視図である。
【図２】同アタッチメントの使用状態を示す靴の断面図である。
【図３】他の実施例を示す図１に対応した斜視図であって、アタッチメントの異なる大きさを二点鎖線で例示する。
【図４】図３のＡ−Ａ線矢視の拡大断面図である。
【図５】他の実施例を示す履物のつま先用のアタッチメントの一部斜視図である。
【図６】さらに他の実施例を示す履物のつま先用のアタッチメントの斜視図である。
【図７】さらに他の実施例を示す履物のつま先用のアタッチメントの斜視図である。
【図８】さらに他の実施例を示す履物のつま先用アタッチメントの斜視図である。
【発明を実施するための形態】
【００１３】
この発明で、踏みシート３に設ける突起５に関し、「指先大」とは、踏みつけると痛みを感じる強い刺激を足裏に受ける場合の大きさを表したもので、小さすぎるとツボ刺激とはなっても痛みを受けることにはならない。
【００１４】
普通に踏んで痛みがあると、痛みを避けるように踵を持ち上げ姿勢で歩行するために、アキレスけんやふくらはぎ等が緊張し、その刺激が他に波及することにより、腰痛、肥満、血行不良、痴呆症等の改善がなされることになる。
【００１５】
突起５の形状については、図に示す如く様々となり、また、同一又は異なる形状の突起が複数において配列される組み突起となされることもある。
【実施例１】
【００１６】
図１および図２は、靴の中敷として実施した一例を示したもので、その履物のつま先立ち用アタッチメントＰは、履物１としての革靴に差し入れられる中敷としての踏みシート３と、木製の突起物とからなり、その接着により突起５が設けられる。
【００１７】
踏みシート３は、軟性の発泡プラスチックシートからなり上面にクロスをラミネートした普通の中敷で、後ろ半部の周縁部が上向き傾斜に形成される。突起５は、断面三角形において左右に長く形成され、踏みシート３の踵当りに接着される。
【００１８】
図２が靴に差し入れて使用した状態を示したもので、足６の踵が痛みから逃れるように突起５に軽く接し若しくは少し浮上がってつま先立の姿勢となっている。
【実施例２】
【００１９】
図３および図４は、他の実施例を示し、履物１がスリッパ・サンダルであって、その踵当りに接着される後半部だけの半分形の踏みシート３が形成され、それに丸い突起５が設けられる。なお、ほゞ全面の広さとすることもできることはいうまでもない（二点鎖線参照）。
【００２０】
踏みシート３は、半硬質の薄いプラスチックであって、突起５と一体に成形され、下面に両面粘着テープ９が接着されているので、その剥離紙１０を剥ぎ取ってから粘着される。
【実施例３】
【００２１】
図５は、アタッチメント３に丸突起５を設けるとともに、これに粒々１１，１１、・・を形成し、ツボ刺激にも適するようにした。
【００２２】
図６は、ワッペン形の踏みシート３に３個の突起が横一列となる組突起５が一体に設けられ、これについては、真ん中が突き上げ状の突起５ａであり、両端が三角形状の突起５ｂ、５ｂである。図７が四角形、図８がアール状の形の突起５をそれぞれ示す。その他様々な形状が考えられ得る。
【符号の説明】
【００２３】
Ｐ  履物のつま先立ち用促進敷
１  履物
３  踏みシート
５  突起
９  両面接着テープ
【図１】
2015173795.tif 000003
【図２】
2015173795.tif 000004
【図３】
2015173795.tif 000005
【図４】
2015173795.tif 000006
【図５】
2015173795.tif 000007
【図６】
2015173795.tif 000008
【図７】
2015173795.tif 000009
【図８】
2015173795.tif 000010